(57)【要約】【課題】表示部に複数の映像各々を複数の視野方向ごとに個別に表示させるマルチビュー表示（デュアルビュー表示）により同じ映像を視野方向ごとに個別表示させる状況を回避することにより，表示部の表示性能を十分に引き出すことができること。【解決手段】制御回路８は，映像切替回路３で選択された第１映像の信号及び第２映像の信号が，同一の映像信号であるか否かを判別し，その判別結果に基づいて画面合成切替回路５及び視差バリア処理部６を制御することにより，液晶表示部２１の表示状態を，第１映像及び第２映像の両信号に基づくマルチビュー表示状態又はノーマル表示状態のいずれの状態にするかを制御する。【選択図】図１
2008236283.tif 000002
【特許請求の範囲】
【請求項１】
所定の表示部に複数の映像各々が複数の視野方向ごとに個別に表示される第１表示状態と，前記表示部に１つの映像が視野方向の区別なく表示される第２表示状態とを切り替える表示状態切替手段を備えた映像表示切替装置であって，
複数の入力映像信号から前記第１表示状態における複数の表示映像に対応する複数の映像信号を選択する映像信号選択手段と，
前記映像信号選択手段により選択された複数の映像信号が同一であるか否かを判別する映像同一判別手段と，
前記映像同一判別手段の判別結果に基づいて前記表示状態切替手段を制御することにより，前記表示部の表示状態を前記映像信号選択手段により選択された映像信号に基づく前記第１の表示状態又は前記第２の表示状態のいずれの状態にするかを制御する表示状態制御手段と，
を具備してなることを特徴とする映像表示切替装置。
【請求項２】
前記表示状態制御手段が，前記映像同一判別手段により前記映像信号選択手段によって選択された複数の映像信号が所定時間以上継続して同一であると判別された場合に，前記表示状態切替手段により前記第１表示状態から前記第２表示状態に切り替えられるよう制御してなる請求項１に記載の映像表示切替装置。
【請求項３】
前記映像信号選択手段が，複数チャンネル分の前記入力映像信号が重畳された放送信号から１つのチャンネルの映像信号を抽出して選択するチューナを複数具備し，
前記映像同一判別手段が，複数の前記チューナによる映像信号の抽出チャンネルが同一か否かに基づいて前記映像信号選択手段により選択された複数の映像信号が同一であるか否かを判別してなる請求項１又は２のいずれかに記載の映像表示切替装置。
【請求項４】
前記表示状態制御手段により前記表示状態切替手段を通じて前記第１表示状態から前記第２表示状態に切り替えられる際にその切り替えに関する通知を行う切替通知手段を具備してなる請求項１〜３のいずれかに記載の映像表示切替装置。
【請求項５】
液晶表示部と，該液晶表示部の表示状態を切り替える請求項１〜４のいずれかに記載の映像表示切替装置と，を具備してなることを特徴とする液晶表示装置。
【発明の詳細な説明】
【技術分野】
【０００１】
本発明は，表示部に複数の映像各々を複数の視野方向ごとに個別に表示させる状態と，表示部に１つの映像を視野方向の区別なく表示させる状態とを切り替える機能を備えた映像表示切替装置及びそれを具備する液晶表示装置に関するものである。
【背景技術】
【０００２】
液晶パネル等のフラットパネルディスプレイには，ディスプレイ上に視差バリアを設け，バックライトからの光の向きを複数方向（一般には，右斜め前方と左斜め前方の２方向）に分離させることにより，複数の映像各々を複数の視野方向ごとに個別に表示させる状態と，視差バリアを解除することにより，ディスプレイに１つの映像を視野方向の区別なく表示させる状態（以下，通常の表示状態という）とを切り替える機能を備えるものがある。以下，複数の映像各々を複数の視野方向ごとに視認可能に個別に表示させることをマルチビュー表示といい，２つの映像各々を右斜め前方と左斜め前方の２方向（視野方向）各々において視認可能に表示させることをデュアルビュー表示という。
このようなマルチビュー表示機能を備えた表示装置を例えばテレビジョン受像機に適用すれば，１台のテレビジョン受像機で複数の利用者が各々異なるチャンネルの番組を同時に視聴することができ便利である。
なお，マルチビュー表示機能を備えた表示装置は，例えば特許文献１，特許文献２及び特許文献３等に示されている。
ここで，マルチビュー表示の状態では，通常の表示状態に比べて視野方向ごとに視認される映像の画質は低下する。例えば，マルチビュー表示の状態では，表示部の各画素が視野方向ごとに割り振られるため，視野方向ごとに視認される映像の解像度が，通常の表示状態に比べて低下する。即ち，解像度が，マルチビュー表示における表示映像数に反比例する。また，バックライトからの光が視野方向それぞれに分離されるため，視野方向ごとの映像輝度も低下する。
【特許文献１】特開２００４−２７９９３２号公報
【特許文献２】特開２００４−３０２４０９号公報
【特許文献３】特開２００４−１３９０５６号公報
【発明の開示】
【発明が解決しようとする課題】
【０００３】
しかしながら，マルチビュー表示の状態では，視野方向ごとの映像を鑑賞する各利用者は，他の利用者がどのような映像を鑑賞しているかがわからない。このため，複数の利用者が同じ映像を鑑賞しているにもかかわらず，マルチビュー表示の状態のまま，即ち，表示部に最高画質の映像（通常の表示状態の映像）を表示させない状態のまま利用し続けることになり，表示部の表示性能を十分に引き出すことができない状況が生じるという問題点があった。
従って，本発明は上記事情に鑑みてなされたものであり，その目的とするところは，マルチビュー表示により同じ映像を視野方向ごとに個別表示させる状況を回避することにより，表示部の表示性能を十分に引き出すことができる映像表示切替装置及び液晶表示装置を提供することにある。
【課題を解決するための手段】
【０００４】
上記目的を達成するために本発明は，所定の表示部（例えば，液晶表示部）に複数の映像各々が複数の視野方向ごとに個別に表示される第１表示状態（前記マルチビュー表示の状態に相当）と，前記表示部に１つの映像が視野方向の区別なく表示される第２表示状態（前記通常の表示状態に相当）とを切り替える表示状態切替手段を備えた映像表示切替装置，或いはそれにより液晶表示部の表示状態を切り替える液晶表示装置であって，次の（１）〜（３）に示す各構成要素を備えるものである。
（１）複数の入力映像信号から前記第１表示状態における複数の表示映像に対応する複数の映像信号を選択する映像信号選択手段。
（２）前記映像信号選択手段により選択された複数の映像信号が同一であるか否かを判別する映像同一判別手段。
（３）前記映像同一判別手段の判別結果に基づいて前記表示状態切替手段を制御することにより，前記表示部の表示状態を前記映像信号選択手段により選択された映像信号に基づく前記第１の表示状態又は前記第２の表示状態のいずれの状態にするかを制御する表示状態制御手段。
このような構成要素を備えた映像表示切替装置は，マルチビュー表示の状態（第１表示状態）において，複数の利用者により同じ映像が鑑賞されている場合，高画質の映像を表示できる通常の表示状態（第２表示状態）へ切り替えることができる。
ここで，前記表示状態制御手段としては，前記映像同一判別手段により前記映像信号選択手段によって選択された複数の映像信号が所定時間以上継続して同一であると判別された場合に，前記表示状態切替手段により前記第１表示状態から前記第２表示状態に切り替えられるよう制御するものが考えられる。
これにより，一時的（過渡的）な選択映像の切り替え（例えば，テレビジョン受像機において視聴する番組を探すためにチャンネルを順次切り替えるような場合）に対して頻繁に表示状態が切り替わり，かえって映像が見辛くなるという不都合を回避できる。
【０００５】
また，前記映像信号選択手段が，複数チャンネル分の前記入力映像信号が重畳された放送信号から１つのチャンネルの映像信号を抽出して選択するチューナを複数具備する場合（本発明をテレビジョン受像機に適用した場合），前記映像同一判別手段が，複数の前記チューナによる映像信号の抽出チャンネルが同一か否かに基づいて前記映像信号選択手段により選択された複数の映像信号が同一であるか否かを判別することが考えられる。
また，前記表示状態制御手段により前記表示状態切替手段を通じて前記第１表示状態から前記第２表示状態に切り替えられる際に，その切り替えに関する通知を行う切替通知手段を具備するものも考えられる。
これにより，表示状態の切り替えが自動制御により行われたことが利用者に通知され，利用者が装置の不具合によって表示状態が切り替わったと誤認することを回避できる。
【発明の効果】
【０００６】
本発明によれば，マルチビュー表示の状態（第１表示状態）において，複数の利用者により同じ映像が鑑賞されている場合，高画質の映像を表示できる通常の表示状態（第２表示状態）へ切り替えることができる。その結果，マルチビュー表示により同じ映像を視野方向ごとに個別表示させる状況が回避され，表示部の表示性能を十分に引き出すことができる。
【発明を実施するための最良の形態】
【０００７】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は本発明の実施形態に係る映像表示切替装置を備えたテレビジョン受像機Ｘの概略構成を表すブロック図，図２はテレビジョン受像機Ｘが備える視差バリア処理部の概略構成図，図３はテレビジョン受像機Ｘにおける映像表示切替制御の手順を表すフローチャート，図４はテレビジョン受像機Ｘにおける映像表示状態の一例を模式的に表した図である。
【０００８】
まず，図１に示すブロック図を用いて，本発明の実施形態に係る映像表示切替装置を備えたテレビジョン受像機Ｘの構成について説明する。
テレビジョン受像機Ｘは，液晶表示部２１に２つの映像各々が２つの視野方向（右斜め前方と左斜め前方）ごとに個別に表示されるデュアルビュー表示状態（第１表示状態の一例）と，液晶表示部２１に１つの映像が視野方向の区別なく表示されるノーマル表示状態（第２表示状態に相当）とを切り替える表示状態切替機能を備えた表示装置の一例である。
図１に示すように，テレビジョン受像機Ｘは，複数のチューナ１ａ，１ｂと，外部入力部２と，映像切替回路３と，２つの映像処理回路４ａ，４ｂと，画面合成切替回路５と，視差バリア処理部６と，計時回路７と，制御回路８と，リモコンインターフェース（Ｉ／Ｆ）回路９と，液晶表示部２１と，音声切替回路１０と，２つの音声処理回路１１ａ，１１ｂと，２つのアンプ２２ａ，２２ｂと，スピーカ２３と，音声外部出力部２４とを具備して構成されている。また，これら以外にも，一般的なテレビジョン受像機が有する構成要素も備えている。
【０００９】
チューナ１ａ，１ｂは，放送受信アンテナ２０で受信されたテレビジョン放送（地上放送等）の信号（以下，放送信号という）を入力し，制御回路８から指示された放送チャンネルの信号を入力信号から抽出（選局）するとともに，その抽出信号の検波によって映像信号及び音声信号を取り出し，その映像信号及び音声信号の各々を映像切替回路３及び音声切替回路１０各々へ伝送するものである。
ここで，前記放送信号には，複数チャンネル分の映像信号及びその映像と同期した音声信号が重畳されており，チューナ１ａ，１ｂは，その放送信号を入力する。
また，外部入力部２は，外部からコンポジット方式の映像信号及び音声信号や，セパレート方式の映像信号及び音声信号（いわゆるＳ端子の信号）等の外部入力映像信号及び外部入力音声信号を入力し，それらを映像切替回路３及び音声切替回路１０各々へ伝送するインターフェースである。
映像切替回路３は，チューナ１ａ，１ｂ各々からの映像信号及び外部入力部２からの映像信号を入力し，それらの映像信号のうちの任意の２つの映像信号を制御回路８からの指示に従って選択し，選択した２つの映像信号各々を２つ映像処理回路４ａ，４ｂ各々へ伝送するものである。
液晶表示部２１は，液晶パネル及びその周辺機器等からなる表示手段であり，画面合成切替回路５から出力される映像信号に基づく映像を表示するものである。
【００１０】
映像処理回路４ａ，４ｂ各々は，映像切替回路３から伝送された映像信号各々に対して各種信号処理を行うものである。例えば，映像信号のＡ／Ｄ変換や，Ａ／Ｄ変換後の映像信号から水平及び垂直同期信号の分離，その同期信号に位相同期したクロック信号の生成，Ａ／Ｄ変換後の映像信号からの輝度信号及び色信号の分離，所定の画質改善処理等を行い，処理後の映像信号を画面合成切替手段５に伝送する。以下，一方の映像処理回路４ａ（映像処理回路Ａ）から伝送される映像信号に基づく映像を選択第１映像，他方の映像処理回路４ｂ（映像処理回路Ｂ）から伝送される映像信号に基づく映像を選択第２映像と称する。
画面合成切替回路５は，制御回路８からの指示に従って，デュアルビュー表示状態に対応した映像信号（以下，デュアルビュー映像信号という）と，ノーマル表示状態に対応した映像信号（以下，ノーマル映像信号という）とのいずれかを生成し，その映像信号を視差バリア処理部６へ伝送するものである。
ここで，ノーマル映像信号は，通常の一般的な映像信号であり，前記選択第１映像の信号（映像処理回路４ａから伝送される１つの映像信号）を全ての画素を用いて液晶表示部２１に表示させるための映像信号である。
一方，デュアルビュー映像信号は，全画素のうちの半分の画素（例えば，隣接する２画素の一方）が前記選択第１映像の信号の表示用に割り振られるとともに，残りの画素が前記選択第２映像の信号（映像処理回路４ｂから伝送される映像信号）の表示用に割り振られて編成された映像信号である。
【００１１】
視差バリア処理部６は，画面合成切替回路５からデュアルビュー映像信号が伝送されてきた場合に，液晶表示部２１のパネル上に視差バリアを設定し，不図示のバックライトからの光の向きを右斜め前方と左斜め前方の２方向に分離させる。その際，バックライトの光は，前記選択第１映像の表示用として割り振られた画素の部分の光が右斜め前方へ，前記選択第２映像の表示用として割り振られた画素の部分の光が左斜め前方へ向かうよう分離される。これにより，液晶表示部２１の表示状態は，前記選択第１映像が液晶表示部２１の右斜め前方（視野方向の一例）から視認可能となり，同時に，前記選択第２映像が液晶表示部２１の左斜め前方（視野方向の一例）から視認可能となるデュアルビュー表示状態となる。
また，視差バリア処理部６は，画面合成切替回路５からノーマル映像信号が伝送されてきた場合には，前記視差バリアの設定を解除し，不図示のバックライトからの光の向きを規制しない。これにより，液晶表示部２１の表示状態は，液晶パネルに１つの映像（前記選択第１映像）が視野方向の区別なく表示されるノーマル表示状態となる。
このように，画面合成切替回路５及び視差バリア処理部６は，液晶表示部２１に前記選択第１映像及び前記選択第２映像の各々が２つの視野方向（左右の斜め前方）ごとに個別に表示されるデュアルビュー表示状態（第１表示状態の一例）と，液晶表示部２１に１つの映像（前記選択第１映像）が視野方向の区別なく表示されるノーマル表示状態（第２表示状態に相当）とを切り替える表示状態切替手段の一例である。
さらに，画面合成切替回路５は，制御回路８から伝送される挿入情報を，出力する映像信号にスーパーインポーズする機能や，映像処理回路４ａ，４ｂからの出力映像に代えて，制御回路８から伝送されてくる情報を映像信号に変換して出力する機能も備えている。
【００１２】
図２は，視差バリア処理部６の概略構成を表す図である。
図２に示すように，視差バリア処理部６は，スイッチング液晶パネル６１と，パターン化位相差板６２と，偏光板６３とを備えている。
スイッチング液晶パネル６１は，液晶表示部２１の前面側に設けられ，液晶表示部２１の表示領域全体に相当する領域において液晶表示部２１を通過してきた前記バックライトからの光（以下，バックライト光）の偏光を行うか否か及び偏光を行う場合の偏光角を９０°切り替える（即ち，透過軸を９０°切り替える）ものである。例えば，スイッチング液晶パネル６１の液晶層への印加電圧を調節可能な電圧可変電源を設け，その電圧可変電源により，スイッチング液晶パネル６１の液晶層への印加電圧を反転させること等により偏向角の切り替えを行う。図２において，破線矢印Ｒ１はスイッチング液晶パネル６１の偏光方向を表す。
パターン化位相差板６２は，スイッチング液晶パネル６１の前面側に設けられ，ラビング方向が直交する２種類の光学領域６２ａ，６２ｂが，液晶表示部２１における縦方向の画素列それぞれに対応して交互にストライプ状（縦縞状）に形成された位相差板である。図２において，破線矢印Ｒ２ａ，Ｒ２ｂは，それぞれ２種類の光学領域６２ａ，６２ｂのラビング方向を表す。
偏光板６３は，パターン化位相差板６２の前面側に設けられ，液晶表示部２１の表示領域全体に相当する領域においてパターン化位相差板６２を通過してきたバックライト光の所定方向への偏光を行うものである。この偏光板６３の偏光方向は，パターン化位相板６２の２種類の光学領域６２ａ，６２ｂのラビング方向の中間方向である。図２において，破線矢印Ｒ３は偏光板６３の偏光方向を表す。
なお，図２において，便宜上，スイッチング液晶パネル６１，パターン化位相差板６２及び偏光板６３は離間した状態で記載されているが，実際にはこれらは密着した状態で配置される。
【００１３】
以下，視差バリア処理部６による視差バリアの設定及びその解除について説明する。
スイッチング液晶パネル６１が，所定方向に光の透過軸を有する状態である場合，液晶表示部２１を通過してきたバックライト光は，まず，スイッチング液晶パネル６１によってその透過軸と平行な方向に偏光される。
また，スイッチング液晶パネル６１を通過後に，次のパターン化位相差板６２に入射したバックライト光は，その入射前のバックライト光（スイッチング液晶パネル６１を通過後のバックライト光）の偏光角とパターン化位相差板６２のラビング方向との差分に応じて，さらに偏向角が変化する。その際，２種類の光学領域６２ａ，６２ｂそれぞれにおいて，その領域を通過後のバックライト光の偏光角は９０°異なる（直交する）。
また，スイッチング液晶パネル６１の偏光角を９０°切り替えることにより，２種類の光学領域６２ａ，６２ｂそれぞれを通過後のバックライト光の偏光角が９０°切り替わる。
【００１４】
さらに，パターン化位相差板６２を通過して偏光板６３に入射したバックライト光は，その偏光角が偏光板６３の透過軸に平行である場合に通過し，その偏光角が偏光板６３の透過軸に直交する場合に遮断される。ここで，偏光板６３の透過軸は，パターン化位相差板６２における２種類の光学領域６２ａ，６２ｂそれぞれを通過後のバックライト光のいずれか一方と平行となり，他方と直交するように設定されている。ここで，パターン化位相差板６２において，ラビング方向が直交する２種類の光学領域６２ａ，６２ｂが交互にストライプ状に形成されているため，光の透過領域と遮断領域とが隣り合う状態となり，液晶表示部２１を通過したバックライト光は特定の方向において視認可能となる一方，その他の方向については遮断されて視認不可能となる。即ち，パターン化位相差板６２と偏光板６３とによって視差バリアが構成される。
また，スイッチング液晶パネル６１の光の透過軸を９０°切り替えることにより，その通過光の偏光角を９０°変調させると，バックライト光の通過領域と遮断領域とが入れ替わる。これにより，液晶表示部２１に出力される画像を視認できる方向を，液晶表示部２１の右斜め前方と左斜め前方とのいずれにするかを切り替えることができる。
ここで，画面合成切替回路５が，制御回路８からの制御指令に従って，映像信号のフィールド周波数を前記ノーマル表示状態であるときの２倍にするとともに，一方の光学領域６２ａに対応する映像領域に前記選択第１映像を出力する状態と，他方の光学領域６２ｂに対応する映像領域に前記選択第２映像を出力する状態とを交互に切り替える前記デュアルビュー映像信号を生成して液晶表示部２１に出力する。その際，スイッチング液晶パネル６１の透過軸方向をフィールド周波数に同期して切り替える。これにより，デュアルビュー表示状態となる。
一方，スイッチング液晶パネル６１の液晶層に対する印加電圧をＯＦＦにすることにより，スイッチング液晶パネル６１を通過したバックライト光は無偏光状態となり，そのバックライト光を通過させるパターン化位相差板６２及び偏光板６３は視差バリアの機能を果たさない。その結果，前記ノーマル表示状態となる。
以上に示したように，視差バリア処理部６は視差バリアの設定及びその解除を行う。
【００１５】
音声切替回路１０は，チューナ１ａ，１ｂ各々からの音声信号及び外部入力部２からの音声信号を入力し，それらの音声信号のうちの任意の２つの音声信号（ステレオの場合は２組の音声信号）各々を，制御回路８からの指示に従って２つの音声処理回路１１ａ，１１ｂ各々に伝送するものである。ここで，制御回路８は，映像切替回路３から映像処理回路４ａ（映像処理回路Ａ）へ伝送される映像信号に対応する音声信号が，音声切替回路１０から音声処理回路１１ａ（音声処理回路Ａ）へ伝送され，映像切替回路３から映像処理回路４ｂ（映像処理回路Ｂ）へ伝送される映像信号に対応する音声信号が，音声切替回路１０から音声処理回路１１ｂ（音声処理回路Ｂ）へ伝送されるよう，映像切替回路３及び音声切替回路１０を制御する。
音声処理回路１１ａ，１１ｂは，制御回路８からの指示に従って，音声切替回路１０から伝送される音声信号に対して各種信号処理（例えば，イコライズ処理やサラウンド処理等）を行うものである。
アンプ２２ａ，２２ｂは，音声処理回路１１ａ，１１ｂ各々による処理後の音声信号を，制御回路８からの指示に従って増幅或いは減衰させる処理を行い，処理後の各音声信号をスピーカ２３及び音声外部出力部２４の各々へ伝送するものである。
音声外部出力部２４は，イヤホンやヘッドホンが接続される端子（インターフェース）である。
このように，前記選択第１映像に対応する音声を出力するスピーカ２３と，前記選択第２映像に対応する音声を出力する音声外部出力部２４とを備えることにより，デュアルビュー表示状態において，１台のテレビジョン受像機Ｘで複数の利用者が異なる２つのチャンネルの番組（外部入力部を通じて入力される信号に基づく映像及び音声を含む）を同時に視聴することができる。
【００１６】
計時回路７は，クロック発振器を備え，現在時間を計時する時計機能を実現する回路である。
制御回路８は，演算手段であるＭＰＵ８ａ，そのＭＰＵ８ａによって実行される制御プログラムが予め格納される記憶手段であるＲＯＭ８ｂ（ＥＰＲＯＭ），ＭＰＵ８ａが実行する処理によって書き込まれる設定情報を記憶するＥＥＰＲＯＭ８ｃ等を備え，当該テレビジョン受像機Ｘ全体を制御するものである。
リモコンインターフェース回路９は，当該テレビジョン受像機Ｘの操作用のリモコン９ａ（リモート操作器）から，赤外線伝送等の無線伝送によってリモコン９ａに対する操作入力情報を取得し，その操作入力情報を制御回路８に伝送するものである。
【００１７】
例えば，チャンネル選択（選局）が行われる場合，リモコン９ａのチャンネル選択キーに対する操作入力の情報が，リモコンインターフェース回路９を通じて制御回路８に入力され，その操作入力情報に従って，制御回路８が各チューナ１ａ，１ｂ（ＴＵＮＥＲ＿Ａ，ＴＵＮＥＲ＿Ｂ）に対して選局するチャンネルを指定する。これにより，各チューナ１ａ，１ｂによって指定チャンネルの映像信号及び音声信号が抽出される。ここで，リモコン９ａには，前記選択第１映像に関する操作を行う第１操作モードと前記選択第２映像に関する操作を行う第２操作モードとのいずれかを選択する操作モード選択スイッチが設けられている。そして，リモコン９ａは，その操作モード選択スイッチの選択状態に応じて，チューナ１ａ，１ｂのいずれのに対応する操作入力情報を伝送するかを切り替える。
また，リモコン９ａに設けられた入力選択キーに対する操作入力の情報が，リモコンインターフェース回路９を通じて制御回路８に入力されると，制御回路８は，前記選択第１映像の信号として，チューナ１ａにより抽出された映像信号及び外部入力部２を通じて入力された映像信号のいずれを採用するかの選択，又は前記選択第２映像の信号として，チューナ１ｂにより抽出された映像信号及び外部入力部２を通じて入力された映像信号のいずれを採用するかの選択を行い，その選択結果に従って映像切替回路３及び音声切替回路１０を制御する。
このように，複数チャンネル分の入力映像信号が重畳された放送信号から１つのチャンネルの映像信号及び音声信号を抽出して選択する２つのチューナ１ａ，１ｂと，それらチューナ１ａ，１ｂにより選択された映像信号と外部入力部２を通じて入力される映像信号の中から２つの表示映像（選択第１映像及び選択第２映像）に対応する２つの映像信号を選択する映像切替回路３が，複数の入力映像信号からマルチビュー表示状態における複数の表示映像に対応する複数の映像信号を選択する映像信号選択手段の一例である。
また，音量調節が行われる場合，リモコン９ａの音量ボリューム調節キー（音量のアップキーとダウンキー）に対する操作入力情報に従って，制御回路８からアンプ２２ａ，２２ｂに対して出力音量の調節指令が出力され，その指令に従ってアンプ２２ａ，２２ｂによりスピーカ２３及び音声外部出力部２４に対する出力音量が調節される。
【００１８】
次に，図３に示すフローチャートを参照しつつ，制御回路８が所定の制御プログラムを実行することにより実現される映像表示切替制御（デュアルビュー表示状態とノーマル表示状態との切替制御）の手順の一例について説明する。なお，以下に示すＳ１，Ｓ２，…は，処理手順（ステップ）の識別記号を表す。また，図３に示す処理は，リモコン９ａを通じて所定の電源ＯＮ操作がなされた場合に開始されるものとする。
［ステップＳ１］
制御回路８は，まず，表示モード（所定の設定情報）をノーマルモードに初期設定する（Ｓ１）。
ここで，表示モードの設定候補としては，前記選択第１映像をノーマル表示状態で表示させるノーマルモードと，前記選択第１映像及び前記選択第２映像をデュアルビュー表示状態で表示させることを原則とし，一定条件下でノーマル表示状態に切り替えるデュアルモードとがある。
【００１９】
［ステップＳ２〜Ｓ５］
次に，制御回路８は，リモコンインターフェース回路９を通じて入力される信号に基づいて，リモコン９ａにおいて表示モードの変更操作がなされたか否かを判別する（Ｓ２）。
ここで，制御回路８は，表示モードの変更操作がなされたと判別すると，表示モードを変更し（Ｓ３），処理を次のステップＳ４へ移行させる。即ち，その時点の表示モードがノーマルモードである場合はデュアルモードに変更し，その時点の表示モードがデュアルモードである場合はノーマルモードに変更する。一方，制御回路８は，表示モードの変更操作がなされていないと判別すると，処理を次のステップＳ４へ移行させる。
ステップＳ４では，制御回路８は，表示モードがノーマルモードであるかデュアルモードであるかを判別する（Ｓ４）。
ここで，制御回路８は，表示モードがノーマルモードであると判別した場合，画面合成切替回路５及び視差バリア処理部６（表示状態切替手段の一例）を制御することにより，液晶表示部２１の表示状態が前記選択第１映像の信号（映像信号選択手段により選択された映像信号の一例）に基づくノーマル表示状態になるよう制御し（Ｓ５），その後，処理を前述したステップＳ２へ戻す。
一方，制御回路８は，表示モードがデュアルモードであると判別した場合，以下に示すデュアルモード時の処理（Ｓ６〜Ｓ１２）を実行する。
【００２０】
［ステップＳ６〜Ｓ８］
デュアルモード時の処理では，まず，制御回路８は，前記選択第１映像の信号及び前記選択第２映像の信号（映像信号選択手段により選択された複数の映像信号の一例）が，相互に同一の映像信号であるか否かを判別する（Ｓ６，映像同一判別手段の一例）。
具体的には，制御回路８は，２つのチューナ１ａ，１ｂによる映像信号の抽出チャンネルが同一であるか否かと，映像切替回路３により前記選択第１映像の信号及び前記選択第２映像の信号として選択されている信号がチューナ１ａ，１ｂからの映像信号であるか否か（即ち，外部入力部２からの映像信号であるか否か）とを判別し，その判別結果に基づいて前記選択第１映像の信号と前記選択第２映像の信号とが同一の映像信号であるか否かを判別する（Ｓ６）。
ここで，制御回路８は，前記選択第１映像の信号と前記選択第２映像の信号とが同一の映像信号ではないと判別すると，所定の継続時間変数を初期化（例えば，マイナス値に設定）する（Ｓ７）。ここで，継続時間変数は，前記選択第１映像の信号と前記選択第２映像の信号とが同一の映像信号となっている状態の継続時間を表す変数である。
さらに，制御回路８は，画面合成切替回路５及び視差バリア処理部６（表示状態切替手段の一例）を制御することにより，液晶表示部２１の表示状態が前記選択第１映像の信号及び選択第２映像の信号（映像信号選択手段により選択された映像信号の一例）に基づくデュアルビュー表示状態になるよう制御し（Ｓ８，表示状態制御手段の一例），その後，処理を前述したステップＳ２へ戻す。
図４（ａ）は，ステップＳ８の処理により，液晶表示部２１がデュアルビュー表示状態となった場合の表示画面の一例を模式的に表した図である。
図４（ａ）に示すように，デュアルビュー表示状態における液晶表示部２１は，前記選択第１映像ｇ１が液晶表示部２１の右斜め前方から（Ｖ１方向から）視認可能となり，同時に，前記選択第２映像ｇ２が液晶表示部２１の左斜め前方から（Ｖ２方向から）視認可能となる。
【００２１】
［ステップＳ９］
一方，制御回路８は，前記選択第１映像の信号と前記選択第２映像の信号とが同一の映像信号であると判別すると，前記選択第１映像の信号と前記選択第２映像の信号とが同一の映像信号となっている状態の継続時間を計算して前記継続時間変数に設定する。
具体的には，制御回路８は，その時点における前記継続時間変数の値がマイナス値である場合，その継続時間変数の値を０に設定するとともに，計時回路７により計時されるその時点の時刻を記憶する。
また，制御回路８は，その時点における前記継続時間変数の値が０以上である場合，継続時間変数の値を，前回記憶した時刻と計時回路７により計時されるその時点の時刻との差分時間を加算した値に更新するとともに，計時回路７により計時されるその時点の時刻を記憶する。
【００２２】
［ステップＳ１０］
次に，制御回路８は，前記継続時間変数の値を参照することにより，前記選択第１映像の信号と前記選択第２映像の信号とが同一の映像信号となっている状態が予め設定された所定時間（以下，継続判別用設定時間という）以上継続しているか否かを判別する（Ｓ１０）。なお，前記継続判別用設定時間は，予めリモコン９ａを通じた操作入力情報に従って制御回路８により設定され，ＥＥＰＲＯＭ８ｃに記憶される情報（例えば，数秒〜数十秒）である。
ここで，制御回路８は，両映像信号が同一の状態が前記継続判別用設定時間以上継続していないと判別した場合，画面合成切替回路５及び視差バリア処理部６（表示状態切替手段の一例）を制御することにより，液晶表示部２１の表示状態が前記選択第１映像の信号及び選択第２映像の信号（映像信号選択手段により選択された映像信号の一例）に基づくデュアルビュー表示状態になるよう制御し（Ｓ８，表示状態制御手段の一例），その後，処理を前述したステップＳ２へ戻す。このときの表示状態の一例は，図４（ａ）に示した通りである。
【００２３】
［ステップＳ１１，Ｓ１２］
一方，制御回路８は，両映像信号が同一の状態が前記継続判別用設定時間以上継続していると判別した場合それまでのデュアルビュー表示状態を解除してノーマル表示の状態に切り替える処理（Ｓ１２）の実行前に，，画面合成切替回路５に所定の通知情報を出力することにより，表示状態の切り替えを行う旨の通知情報を液晶表示部２１に表示させる（Ｓ１１，切替通知手段の一例）。
図４（ｂ）は，ステップＳ１１の処理により，デュアルビュー表示状態である液晶表示部２１に，デュアルビュー表示状態を解除する旨の通知情報ｇ４が表示された表示画面の一例を模式的に表した図である。
図４（ｂ）に示す例では，前記選択第１映像ｇ１及び前記選択第２映像ｇ２のそれぞれに前記通知情報ｇ４が映し出される例が示されている。なお，この通知情報ｇ４を，ノーマル表示の状態へ切り替えた直後に，そのノーマル表示の状態において表示させることも考えられる。
さらに，制御回路８は，画面合成切替回路５及び視差バリア処理部６（表示状態切替手段の一例）を制御することにより，液晶表示部２１の表示状態が前記選択第１映像の信号（映像信号選択手段により選択された映像信号の一例）に基づくノーマル表示状態になるよう制御し（Ｓ１２，表示状態制御手段の一例），その後，処理を前述したステップＳ２へ戻す。
図４（ｃ）は，ステップＳ１２の処理により，液晶表示部２１がノーマル表示の状態となった場合の表示画面の一例を模式的に表した図である。
図４（ｃ）に示すように，ノーマル表示の状態における液晶表示部２１は，所定の最大視野角の範囲内で，１つの映像（前記選択第１映像ｇ１）が視野方向の区別なく視認可能な表示状態となる。
【００２４】
以上に示したように，テレビジョン受像機Ｘは，制御回路８による映像表示切替制御により，デュアルビュー表示状態（第１表示状態）において，複数の利用者により同じ映像が鑑賞されている場合，高画質の映像を表示できるノーマル表示状態（第２表示状態）へ切り替える（Ｓ１２）。その結果，デュアルビュー表示により継続的に同じ映像を視野方向ごとに個別表示させる状況が回避され，液晶表示部２１の表示性能（解像度や明るさ）を十分に引き出すことができる。
また，制御回路８は，前記選択第１映像の信号と前記選択第２映像の信号とが所定時間以上継続して同一であると判別した場合（Ｓ１０のＹ側）に，画面合成切替回路５及び視差バリア処理部６（表示状態切替手段の一例）により，デュアルビュー表示状態からノーマル表示の状態に切り替えられるよう制御する（Ｓ１２）。これにより，一時的（過渡的）な選択映像の切り替えに対して頻繁に表示状態が切り替わり，かえって映像が見辛くなるという不都合を回避できる。
また，制御回路８は，前記選択第１映像及び前記選択第２映像の一致判別に基づく表示状態の切り替えの際に，その切り替えに関する通知を行う（Ｓ１１）ので，利用者が装置の不具合によって表示状態が切り替わったと誤認することを回避できる。
【００２５】
以上に示した実施形態は，デュアルビュー表示とノーマル表示との切り替えを行う例を示したが，同様の構成により，３つ以上の映像を表示するマルチビュー表示とノーマル表示とを切り替える例も考えられる。
また，マルチビュー表示状態における複数の映像信号が同一であるか否かの判別は，例えば，各映像信号の差分信号を生成する信号差分回路を設け，その信号差分回路の出力信号の変動の大小に基づいて判別すること等も考えられる。
【産業上の利用可能性】
【００２６】
本発明は，テレビジョン受像機等に利用可能である。
【図面の簡単な説明】
【００２７】
【図１】本発明の実施形態に係る映像表示切替装置を備えたテレビジョン受像機Ｘの概略構成を表すブロック図。
【図２】テレビジョン受像機Ｘが備える視差バリア処理部の概略構成図。
【図３】テレビジョン受像機Ｘにおける映像表示切替制御の手順を表すフローチャート。
【図４】テレビジョン受像機Ｘにおける映像表示状態の一例を模式的に表した図。
【符号の説明】
【００２８】
Ｘ…テレビジョン受像機
１ａ，１ｂ…チューナ
２…外部入力部
３…映像切替回路
４ａ，４ｂ…映像処理回路
５…画面合成切替回路
６…視差バリア処理部
７…計時回路
８…制御回路
９…リモコンインターフェース回路
９ａ…リモコン
１０…音声切替回路
１１ａ，１１ｂ…音声処理回路
２１…液晶表示部
２２ａ，２２ｂ…アンプ
２３…スピーカ
２４…音声外部出力部
６１…スイッチング液晶パネル
６２…パターン化位相差板
６２ａ…パターン化位相差板の第１の光学領域
６２ｂ…パターン化位相差板の第２の光学領域
６３…偏光板
Ｓ１，Ｓ２，・・…ステップ（処理手順）
【図１】
2008236283.tif 000003
【図２】
2008236283.tif 000004
【図３】
2008236283.tif 000005
【図４】
2008236283.tif 000006